(57)【要約】【課題】  メカニカルキー６のリモコン装置１内への戻し忘れを防止することが可能な車両用リモコン装置を提供する。【解決手段】  車両に搭載される車載機との間で通信を行うことにより、車両のドアのロック及びアンロックを操作する車両用リモコン装置において、アンテナ線１２を中空のコイル形状に捲回して、車載機との間の通信に用いられるアンテナ１０を形成し、更に、この中空部にメカニカルキー６の金属部分が挿入される構造として、メカニカルキー６挿入時のアンテナ線１２のインダクタンスと、メカニカルキー６未挿入時のアンテナ線１２のインダクタンスが異なるようにし、メカニカルキー６未挿入時には、アンテナ１０を同調させないことにより、遠隔操作を不能とする。【選択図】      図１
2005051595.tif 000002
【特許請求の範囲】
【請求項１】
車両に搭載される車載機との間で通信を行うことにより、車両のドアのロック及びアンロックを操作する車両用リモコン装置において、
アンテナ線を中空のコイル形状に捲回して、前記車載機との間の通信に用いられるアンテナを形成し、更に、この中空部にメカニカルキーの金属部分が挿入される構造として、前記メカニカルキー挿入時の前記アンテナ線のインダクタンスと、前記メカニカルキー未挿入時の前記アンテナ線のインダクタンスが異なるようにし、前記メカニカルキー未挿入時には、前記アンテナを同調させないことにより、遠隔操作を不能とすることを特徴とする車両用リモコン装置。
【請求項２】
前記アンテナ線は、中空形状のボビンに捲回され、前記メカニカルキーは、前記ボビンの中空部に挿入されることを特徴とする請求項１に記載の車両用リモコン装置。
【請求項３】
前記アンテナは、車載機側より送信されるウエイクアップ信号を受信するために用いるアンテナであることを特徴とする請求項１または請求項２のいずれかに記載の車両用リモコン装置。
【発明の詳細な説明】
【技術分野】
【０００１】
本発明は、ユーザが携行し、リモコン操作により、車両に搭載される車載機との間で通信を行い、ドアのロック、アンロックを操作する車両用リモコン装置に係り、特に、メカニカルキーの挿入忘れを防止する技術に関する。
【背景技術】
【０００２】
従来における車両用のリモコン装置は、車両に搭載される車載機との間で通信を行い、リモコン装置側で、ロックボタン、或いはアンロックボタンを押すことにより、車両ドアのロック、アンロックを操作することができる。
【０００３】
また、車両のバッテリが上がった場合、或いはリモコン装置側の電池が切れた場合には、通信機が機能しなくなり、ドアのロック、アンロック操作ができなくなってしまうので、リモコンキーには、非常用としてメカニカルキーを搭載しているものが多くなっている。
【０００４】
図５は、従来より用いられているリモコン装置の構成を示す分解斜視図であり、同図に示すように、このリモコン装置１０１は、上部ケース１０２、及び下部ケース１０３に覆設される筐体構造をなしている。
【０００５】
下部ケース１０３内には、電池１０５を収納する電池ホルダ１０４、及びメカニカルキー１０６を収納するキー収納部１０７が形成されている。
【０００６】
そして、通信機を構成する各種の電子部品を基板１０８に実装し、且つ、この基板１０８に、車載機との間での通信を行うための通信用アンテナを取り付ける。更に、この基板１０８の下面側に、車載機より送信されるウエイクアップ信号の受信するためのアンテナ１１０を搭載した状態で、この基板１０８を下部ケース１０３内に取り付け、更に、防水ラバー１０９を覆設した後、上部ケース１０２と下部ケース１０３とを連結することににより、全体をモールドする。
【０００７】
図６は、ウエイクアップ信号を受信するためのアンテナ１１０の構成を示す説明図であり、同図（ａ）はアンテナ１１０を裏面側から見た斜視図、同図（ｂ）はアンテナ１１０が基板１０８の裏面側に取り付けられた状態の横方向の断面図、同図（ｃ）は縦方向の断面図を示している。図示のように、アンテナ１１０は、円柱形状のフェライトコア材１１２にアンテナ線１１３を捲回し、これを矩形状のケース１１１内に挿入し、その後、樹脂封止材１１４を充填した構成を有している。そして、ケース１１１の外側に設けられた端子１１５に、アンテナ線１１３の端部を接続し、この端子１１５と基板１０８に搭載された電子部品とが連結されるようになっている。
【０００８】
そして、基板１０８に搭載されているロックボタン１０８ａ、及びアンロックボタン１０８ｂを押すことにより、車両用ドアのロック、及びアンロックを操作することができる。
【０００９】
また、バッテリ上がり等により、通信によるドアのロック、アンロック操作ができない場合には、メカニカルキー１０６を取り出して使用することができる。
【特許文献１】特開平１１−２１０２９３号公報
【発明の開示】
【発明が解決しようとする課題】
【００１０】
しかしながら、上述した従来のリモコン装置では、メカニカルキー１０６を自由に取り外すことができるので、普段使用しないメカニカルキー１０６を使用し、その後、このメカニカルキー１０６をリモコン装置１０１内に戻すことを忘れ、メカニカルキー１０６を車内に置いたままの状態で、ユーザが車両から離れた場合には、メカニカルキー１０６を用いて車両を運転操作することができるので、盗難の恐れがある。
【００１１】
この発明は、このような従来の課題を解決するためになされたものであり、その目的とするところは、メカニカルキーのリモコン機内への戻し忘れを防止することが可能な車両用リモコン装置を提供することにある。
【課題を解決するための手段】
【００１２】
上記目的を達成するため、本願請求項１に記載の発明は、車両に搭載される車載機との間で通信を行うことにより、車両のドアのロック及びアンロックを操作する車両用リモコン装置において、アンテナ線を中空のコイル形状に捲回して、前記車載機との間の通信に用いられるアンテナを形成し、更に、この中空部にメカニカルキーの金属部分が挿入される構造として、前記メカニカルキー挿入時の前記アンテナ線のインダクタンスと、前記メカニカルキー未挿入時の前記アンテナ線のインダクタンスが異なるようにし、前記メカニカルキー未挿入時には、前記アンテナを同調させないことにより、遠隔操作を不能とすることを特徴とする。
【００１３】
請求項２に記載の発明は、前記アンテナ線は、中空形状のボビンに捲回され、前記メカニカルキーは、前記ボビンの中空部に挿入されることを特徴とする。
【００１４】
請求項３に記載の発明は、前記アンテナは、車載機側より送信されるウエイクアップ信号を受信するために用いるアンテナであることを特徴とする。
【発明の効果】
【００１５】
本発明に係る車両用リモコン装置では、メカニカルキーがリモコン装置内に挿入されていないときにはアンテナが同調しないので、車載機側から送信されるウエイクアップ信号の受信ができなくなる。従って、非常時にユーザがメカニカルを使用し、そのままこのメカニカルキーをリモコン装置内に戻すことを忘れた場合であっても、ユーザは即時にこれに気づくことができる。これにより、車両の盗難を防止することができる。
【発明を実施するための最良の形態】
【００１６】
以下、本発明の実施形態を図面に基づいて説明する。図１は、本発明の一実施形態に係る車両用リモコン装置の構成を示す分解斜視図である。同図に示すように、このリモコン装置１は、上部ケース２、及び下部ケース３に覆設される筐体構造を成しており、下部ケース３内には、電池５を収納する電池ホルダ４、及びメカニカルキー６を収納するためのキー収納部７が設けられている。
【００１７】
更に、通信機を構成するための電子部品を実装する基板８を有しており、該基板８は、遠隔でドアのロック、アンロックを操作するロックボタン８ａ、及びアンロックボタン８ｂを備えている。更に、この基板８は、車載機との間で通信を行うための通信用アンテナ（図示省略）が搭載されており、更に、基板８の裏面側には、車載機側より出力されるウエイクアップ信号を受信するためのアンテナ１０が取り付けられている。
【００１８】
アンテナ１０は、矩形中空形状をなすボビン１１に、アンテナ線１２が捲回される構成を有しており、２つの接続端子１３ａ，１３ｂにて半田付け等により、基板８に接続されている。そして、基板８を下部ケース３に取り付けた状態で、アンテナ１０のボビン１１が丁度キー収納部７に位置するように設定されている。つまり、メカニカルキー６をキー収納部７内に挿入すると、このメカニカルキー６の金属部分がボビン１１の中空部内に収納されるようになっている。
【００１９】
そして、基板８の上側に防水ラバー９を覆設した状態で、上部ケース２を取り付けることにより、上部ケース２と下部ケース３とが連結され、全体としてモールドされたリモコン装置１が形成される。
【００２０】
図２（ａ）は、アンテナ１０の構成を示す側面図、同図（ｂ）は、正面図である。図示のように、ボビン１１には、両端部に鍔部１１ａ，１１ｂが形成されており、２つの鍔部１１ａ，１１ｂの間には、アンテナ線１２が複数捲回されており、この先端部は、接続端子１３ａ，１３ｂに捲回されて、基板８に連結される構成を有している。
【００２１】
図３は、ボビン１１の中空部内にメカニカルキー６が挿入された状態を示す説明図であり、メカニカルキー６の金属部分がボビン１１内に挿入された状態と、メカニカルキー６が外された場合で、ボビン１１に捲回されたアンテナ線１２のインダクタンスが変化する構成となっている。
【００２２】
そして、基板８に搭載される通信機では、メカニカルキー６がボビン１１内に挿入されたときのインダクタンスで決定される共振周波数で同調するようになっている。つまり、同調周波数ｆは、アンテナ１０のインダクタンスＬ、及び基板８に設けられるコンデンサＣとの間でｆ＝１／２π√ＬＣで決定され、同調周波数ｆと、インダクタンスＬとの関係は、図４の特性図に示すように、Ｌが大きくなると受信周波数ｆが低くなるように変化する。
【００２３】
そして、本実施形態では、ボビン１１内にメカニカルキー６が差し込まれているときのアンテナ線１２のインダクタンスに対して、同調するように、受信周波数（例えば、１２５［ｋＨｚ］）が設定されている。
【００２４】
次に、本実施形態に係る車両用リモコン装置１の動作について説明する。いま、リモコン装置１内にメカニカルキー６が挿入されている場合には、上述したように、アンテナ１０の同調周波数が、受信周波数と一致するので、車載機より送信されるウエイクアップ信号を受信することができる。この信号により、リモコン装置１は、スリープ状態からウエイクアップ状態に移行することができるので、ロックボタン８ａを押すことにより、遠隔操作でドアをロックすることができ、アンロックボタン８ｂを押すことにより、遠隔操作でドアをアンロックすることができる。
【００２５】
また、バッテリ上がり等により、リモコン装置１による遠隔操作ができない場合には、リモコン装置１からメカニカルキー６を取り外し、このメカニカルキー６を用いることにより、ドアをロック、或いはアンロックすることができる。
【００２６】
ここで、ユーザが一度メカニカルキー６を使用し、その後、リモコン装置１内に戻すことを忘れると、ボビン１１内にメカニカルキー６が挿入されないので、上述したように、アンテナ１０のインダクタンスが増大し、受信周波数と同調周波数とが一致しなくなり、リモコン装置１と車載機との間の通信ができなくなる。
【００２７】
従って、ユーザがリモコン装置１からメカニカルキー６を取り外し、その後、メカニカルキー６を装着することを忘れた状態で、ロックボタン８ａ、或いはアンロックボタン８ｂを押した場合には、車載機側から送信されるウエイクアップ信号を受信することができなくなる。これにより、ユーザはメカニカルキー６の挿入を忘れていることに気づくことができ、メカニカルキー６の車内への置き忘れ等のトラブルを回避することができる。
【００２８】
このようにして、本実施形態に係る車両用リモコン装置１では、メカニカルキー６の着脱状態に応じてアンテナ１０のインダクタンスが変化するようにし、メカニカルキー６が抜かれた状態のときには、ウエイクアップ信号の受信ができないように設定しているので、ユーザがリモコン装置にメカニカルキー６を挿入し忘れた場合であっても、ユーザはこれに即時に気づくことができ、メカニカルキー６の置き忘れを防止することができる。その結果、車両盗難を防止することができる。
【００２９】
また、ボビン１１にアンテナ線１２を捲回し、ボビン１１内にメカニカルキー６を挿入する構成とすることにより、アンテナの設置スペースを容易に確保することができ、収納性を向上させることができる。
【００３０】
以上、本発明の車両用リモコン装置１を図示の実施形態に基づいて説明したが、本発明はこれに限定されるものではなく、各部の構成は、同様の機能を有する任意の構成のものに置き換えることができる。
【００３１】
例えば、上記した実施形態では、ボビン１１にアンテナ線１２を捲回し、ボビン１１の中空部にメカニカルキー６を挿入する構成としたが、ボビン１１を用いずに、アンテナ線１２を捲回し、その中空部内にメカニカルキー６を挿入する構成とすることも可能である。
【産業上の利用可能性】
【００３２】
車両用リモコン装置の、メカニカルキーの挿入忘れを防止する点で、極めて有用である。
【図面の簡単な説明】
【００３３】
【図１】本発明の一実施形態に係る車両用リモコン装置の構成を示す分解斜視図である。
【図２】アンテナの構成を示す説明図であり、（ａ）は側面図、（ｂ）は正面図を示す。
【図３】ボビン内にメカニカルキーが挿入されたときの状態を示す説明図である。
【図４】インダクタンスの変化に対する同調周波数の変化を示す特性図である。
【図５】従来における車両用リモコン装置の構成を示す分解斜視図である。
【図６】従来における車両用リモコン装置に用いられるアンテナの構成を示す説明図であり、（ａ）は裏面側の斜視図、（ｂ）は基板に取り付けられた状態の横断面図、（ｃ）は縦断面図である。
【符号の説明】
【００３４】
１  リモコン装置
２  上部ケース
３  下部ケース
４  電池ホルダ
５  電池
６  メカニカルキー
７  キー収納部
８  基板
８ａ  ロックボタン
８ｂ  アンロックボタン
９  防水ラバー
１０  アンテナ
１１  ボビン
１１ａ，１１ｂ  鍔部
１２  アンテナ線
１３ａ，１３ｂ  接続端子
１０１  リモコン装置
１０２  上部ケース
１０３  下部ケース
１０４  電池ホルダ
１０５  電池
１０６  メカニカルキー
１０７  キー収納部
１０８  基板
１０９  防水ラバー
１１０  アンテナ
１１１  ケース
１１２  フェライトコア材
１１３  アンテナ線
１１４  樹脂封止材
１１５  端子
【図１】
2005051595.tif 000003
【図２】
2005051595.tif 000004
【図３】
2005051595.tif 000005
【図４】
2005051595.tif 000006
【図５】
2005051595.tif 000007
【図６】
2005051595.tif 000008